(57)【要約】  本発明は、温度調節可能なドリンクホルダ（１０）に関するものであって、そのドリンクホルダは、ドリンク容器（５４）を収容するように整えられて、ドリンク容器（５４）のための温度調節室（１４）を提供する収容装置（１２）、温度調節室（１４）と熱伝達するように結合されたペルティエ素子（１６）、ペルティエ素子（１６）と熱伝達するように結合された熱伝達ボディ（１８）及び固定装置（２０）を有しており、その固定装置はペルティエ素子（１６）と熱伝達ボディ（１８）を収容装置（１２）に固定するように整えられており、その場合に固定装置（２０）は、ペルティエ素子（１６）と熱伝達ボディ（１８）を収容装置（１２）に取り外し可能に固定するように整えられている。本発明は、さらに、この種の温度調節可能なドリンクホルダ（１０）を有する、車両（１００）のためのダッシュボード（５０）及び車両（１００）に関する。
2019513628.tif 000002
【特許請求の範囲】
【請求項１】
温度調節可能なドリンクホルダ（１０）であって、
−ドリンク容器（５４）を収容するように整えられ、かつドリンク容器（５４）のための温度調節室（１４）を提供する、収容装置（１２）、
−温度調節室（１４）と熱伝達するように結合されている、ペルティエ素子（１６）、
−ペルティエ素子（１６）と熱伝達するように結合されている、熱伝達ボディ（１８）、及び
−ペルティエ素子（１６）と熱伝達ボディ（１８）を収容装置（１２）に固定するように整えられている、固定装置（２０）、
を有するものにおいて、
固定装置（２０）が、ペルティエ素子（１６）と熱伝達ボディ（１８）を収容装置（１２）に取り外し可能に固定するように整えられている、ことを特徴とする温度調節可能なドリンクホルダ。
【請求項２】
固定装置（２０）が、ペルティエ素子（１６）と熱伝達ボディ（１８）を付勢して収容装置（１２）に固定するように整えられている、ことを特徴とする請求項１に記載の温度調節可能なドリンクホルダ（１０）。
【請求項３】
ペルティエ素子（１６）と熱伝達ボディ（１８）が固定装置（２０）によって収容装置（１２）に固定された場合に、固定装置（２０）が少なくとも部分的に熱伝達ボディ（１８）の側方に配置されている、ことを特徴とする請求項１又は２に記載の温度調節可能なドリンクホルダ（１０）。
【請求項４】
固定装置（２０）が少なくとも部分的に弾性変形及び／又は可塑変形可能に形成されており、かつ、ペルティエ素子（１６）と熱伝達ボディ（１８）が収容装置（１２）に固定される場合に弾性的かつ／又は可塑的に変形するように整えられている、ことを特徴とする請求項１から３のいずれか１項に記載の温度調節可能なドリンクホルダ（１０）。
【請求項５】
固定装置（２０）が薄板を有している、ことを特徴とする請求項１から４のいずれか１項に記載の温度調節可能なドリンクホルダ（１０）。
【請求項６】
薄板が２つの対向するサイドセクション（２２ａ、２２ｂ）を有し、それらがウェブセクション（２４）によって互いに結合されている、ことを特徴とする請求項５に記載の温度調節可能なドリンクホルダ（１０）。
【請求項７】
２つのサイドセクション（２２ａ、２２ｂ）が、互いに対して実質的に平行に方向づけされている、ことを特徴とする請求項６に記載の温度調節可能なドリンクホルダ（１０）。
【請求項８】
ウェブセクション（２４）が、少なくとも部分的に湾曲して形成されている、ことを特徴とする請求項６又は７に記載の温度調節可能なドリンクホルダ（１０）。
【請求項９】
少なくとも１つのサイドセクション（２２ａ、２２ｂ）とウェブセクション（２４）の間に外側を向いた湾曲部（２６ａ、２６ｂ）が配置されており、前記湾曲部が好ましくはサイドセクション（２２ａ、２２ｂ）の幅（Ｂ２）全体にわたって、かつ／又はウェブセクション（２４）の幅（Ｂ１）全体にわたって延びている、ことを特徴とする請求項６から８のいずれか１項に記載の温度調節可能なドリンクホルダ（１０）。
【請求項１０】
固定装置（２０）が、バンド、特にスチールバンドを有している、ことを特徴とする請求項１から９のいずれか１項に記載の温度調節可能なドリンクホルダ（１０）。
【請求項１１】
固定装置（２０）が、互いに協働する固定手段（２８ａ、２８ｂ、２８ｃ、２８ｄ、３０ａ、３０ｂ、３０ｃ、３０ｄ）を有しており、前記固定手段が、固定装置（２０）を固定するように整えられている、ことを特徴とする請求項１から１０のいずれか１項に記載の温度調節可能なドリンクホルダ（１０）。
【請求項１２】
互いに協働する固定手段（２８ａ、２８ｂ、２８ｃ、２８ｄ、３０ａ、３０ｂ、３０ｃ、３０ｄ）が、固定装置（２０）を工具なしで、かつ／又は破壊なしで可逆的に取り外し可能に固定するように整えられている、ことを特徴とする請求項１１に記載の温度調節可能なドリンクホルダ（１０）。
【請求項１３】
互いに協働する固定手段（２８ａ、２８ｂ、２８ｃ、２８ｄ、３０ａ、３０ｂ、３０ｃ、３０ｄ）が１つ又は複数のピンと、前記ピンに対応する１つ又は複数の透孔とを有しており、その場合に互いに協働する固定手段（２８ａ、２８ｂ、２８ｃ、２８ｄ、３０ａ、３０ｂ、３０ｃ、３０ｄ）は、固定装置（２０）が固定された場合に、１つ又は複数のピンが１つ又は複数の透孔を通って延びるように配置されている、ことを特徴とする請求項１１又は１２に記載の温度調節可能なドリンクホルダ（１０）。
【請求項１４】
熱伝達ボディ（１８）が、多数のフィン（３２）を有している、ことを特徴とする請求項１から１３のいずれか１項に記載の温度調節可能なドリンクホルダ（１０）。
【請求項１５】
ペルティエ素子（１６）と熱伝達ボディ（１８）が固定装置（２０）によって収容装置（１２）に固定された場合に、ペルティエ素子（１６）が収容装置（１２）と熱伝達ボディ（１８）の間に配置されている、ことを特徴とする請求項１から１４のいずれか１項に記載の温度調節可能なドリンクホルダ（１０）。
【請求項１６】
車両（１００）用のダッシュボード（５０）であって、その場合にダッシュボードが請求項１から１５のいずれか１項に記載の温度調節可能なドリンクホルダ（１０）を有している、車両用のダッシュボード。
【請求項１７】
車両（１００）であって、その場合に車両（１００）が請求項１から１５のいずれか１項に記載の温度調節可能なドリンクホルダ（１０）又は請求項１６に記載のダッシュボードを有している、車両。
【発明の詳細な説明】
【技術分野】
【０００１】
本発明は、温度調節可能なドリンクホルダに関するものであって、そのドリンクホルダは、ドリンク容器を収容するように整えられ、かつドリンク容器のための温度調節室を提供する収容装置、温度調節室と熱伝達するように結合されたペルティエ素子、ペルティエ素子と熱伝達するように結合された熱伝達ボディ及び固定装置を有し、その固定装置はペルティエ素子と熱伝達ボディを収容装置に固定するように整えられている。本発明は、さらに、車両用のダッシュボード及び車両に関する。
【背景技術】
【０００２】
温度調節可能なドリンクホルダは、たとえば車両内で、カン又はコップのようなドリンク容器内のドリンク液を所定のドリンク温度に加熱又は冷却し、あるいはドリンク液を所定の温度水準に維持するために、使用される。車両内部で提供されるスペースは限られているので、加熱にも冷却にも適しており、それによって車両搭乗者が車両内で冷たい飲み物も熱い飲み物も適切に温度調節する可能性を有するような装置が必要とされる。
【０００３】
この温度調節機能を実現するために、ペルティエ素子の使用が広く受け入れられており、そのペルティエ素子は電流方向の反転によってドリンク容器の加熱にも冷却にも使用することができる。
【０００４】
通常、ペルティエ素子は収容装置と熱伝達するように結合され、その場合に収容装置は、たとえばカン又はコップのようなドリンク容器の収容を許し、ドリンク容器のための温度調節室を提供する。したがってドリンク容器とペルティエ素子との間に熱流もしくは熱の流れを発生させることができる。
【０００５】
ペルティエ素子は、電流が流れる場合に常にペルティエ素子の一方の第１の側が加熱され、同時に、通常は対向する第２の側が冷却される特性を有している。この理由から、ドリンク容器を温度調節するための既知の装置は、熱伝達ボディを有しており、それがペルティエ素子と熱伝達するように結合されており、かつ周囲への熱放出あるいは周囲からの熱吸収を促進する。
【０００６】
そのためにこれまでは、熱伝達ボディを切削加工し、その熱伝達ボディをペルティエ素子と共に収容装置に固定できるようにすることが、必要であった。その場合に熱伝達ボディの切削加工は、収容装置において螺合を行うことができるようにするために、たとえばフィンを除去し、あるいは小孔を形成することを含んでいた。この加工プロセスは、多大な時間消費と結びついており、したがってこの種の温度調節装置の製造コストに多大な影響を有している。
【０００７】
熱伝達ボディは、これまで螺合に加えて、失われないように収容装置と接着されていた。このタイプの結合は欠点を有し、温度調節装置を組み立てる場合、すなわち個々のねじを引き締める場合に、収容装置と熱伝達ボディの間に配置されるペルティエ素子が圧力に応じて不均一に負荷を受ける。それによって生じる応力ピークがペルティエ素子の損傷、あるいは特に破壊をもたらすことがある。組立ての間にペルティエ素子が損傷するリスクを軽減するために、わずかな引き締めトルクを実現することができるように、特殊工具が使用される。しかしこれは、製造の手間と製造コストをさらに上昇させることになる。
【発明の概要】
【発明が解決しようとする課題】
【０００８】
したがって本発明の課題は、従来技術の欠点を少なくとも部分的に克服することである。
【課題を解決するための手段】
【０００９】
この課題は、冒頭で挙げた種類の温度調節可能なドリンクホルダによって解決され、その場合に固定装置は、ペルティエ素子と熱伝達ボディを収容装置に取り外し可能に固定するように、整えられている。取り外し可能な結合によって、接着の必要性が克服されるので、この製造ステップが省かれ、製造コストが削減される。
【００１０】
本発明に係る温度調節可能なドリンクホルダの好ましい実施形態において、固定装置は、ペルティエ素子と熱伝達ボディを付勢して収容装置に固定するように、整えられている。付勢によってペルティエ素子と熱伝達ボディを収容装置に安定的かつ丈夫に固定することができる。したがって高い振動耐性を得るために接着を必要としない、長寿命の温度調節可能なドリンクホルダが提供される。
【００１１】
本発明に係る温度調節可能なドリンクホルダは、さらに、ペルティエ素子と熱伝達ボディが固定装置によって収容装置に固定された場合に、固定装置が少なくとも部分的に熱伝達ボディの側方に配置されることによって、効果的に展開される。熱伝達ボディを貫通させる必要が克服されるので、熱伝達ボディにドリル孔を形成することが省かれる場合に、製造コストは著しく削減することができる。ペルティエ素子と熱伝達ボディが固定装置によって収容装置に固定された場合に、固定装置が少なくとも部分的に熱伝達ボディの側方に配置されることによって、固定が熱伝達ボディの側方で行われ、それによって固定を実現するために切削加工が必要とされない。
【００１２】
他の好ましい実施形態においては、ペルティエ素子と熱伝達ボディが固定装置によって収容装置に固定された場合に、本発明に係る温度調節可能なドリンクホルダの固定装置は部分的に熱伝達ボディの２つの側に沿って延びている。好ましくはこの２つの側は、熱伝達ボディの対向する側である。
【００１３】
収容装置は、一体的又はいくつかに分けて形成することができる。好ましくは収容装置は部分的又は全体的にアルミニウムから形成されている。アルミニウムは、優れた伝熱特性と小さい密度を有しているので、アルミニウムを使用すると比較的高い効率と少ない重量を得ることができる。
【００１４】
本発明に係る温度調節可能なドリンクホルダの好ましい実施形態において、固定装置は少なくとも部分的に弾性変形可能に形成されている。好ましくは固定装置は、ペルティエ素子と熱伝達ボディを収容装置に固定する場合に弾性的に変形するように、整えられている。したがって固定装置は、第１の変形されない状態から負荷を受けて第２の弾性変形された状態へ移行することができ、その場合に固定装置は弾性変形によって常に、第１の変形されない状態をとろうとする。固定装置が弾性変形可能であることによって、収容装置における熱伝達ボディとペルティエ素子の締めつけ又は挟持が実現される。このように弾性変形可能な固定装置は、わずかなコスト負担で実現することができ、複雑でない迅速な取り付けを可能にする。したがって固定装置を少なくとも部分的に弾性変形可能に形成することによって、製造コストがさらに削減される。さらに、弾性変形の可逆性が固定装置を繰り返し又は多数回使用することを可能にする。したがって固定装置は、たとえば、温度調節可能なドリンクホルダの修理や清掃が必要になることによって、取り外した後に、新たにペルティエと熱伝達ボディを収容装置に固定するために使用することができる。
【００１５】
その代わりに、あるいはそれに加えて、固定装置は少なくとも部分的に可塑変形可能に形成されている。好ましくは固定装置は、ペルティエ素子と熱伝達ボディを収容装置に固定する場合に可塑変形するように、整えられている。ペルティエ素子と熱伝達ボディを収容装置に固定する場合の不可逆的な可塑変形に基づいて、たとえば専門知識を持たない人が温度調節可能なドリンクホルダを取り外して修正を行った後に、あるいはコンポーネントを交換した後に、再び組み立てることを、阻止することができる。したがって温度調節可能なドリンクホルダの駆動安全性が高まり、かつ素人が修正するリスクが減少する。
【００１６】
本発明に係る温度調節可能なドリンクホルダは、固定装置が薄板、特に金属薄板を有することによって、効果的に展開される。薄板は、大量の個数で、安価に提供可能である。適切な薄板厚と適切な薄板形状を選択することによって、薄板の弾性変形及び／又は可塑変形可能性が正確に調節され、かつそれぞれの使用目的に適合される。所望の薄板形状は、種々の製造方法、特に引っ張り変形、圧縮変形、曲げ変形又は剪断変形のような変形させる製造方法を介して、少ないコストで形成することができる。薄板は、さらに、種々の分離及び接合方法を用いて好ましいコストで適合される。好ましくは薄板は、０．２５ｍｍ〜０．７５ｍｍの領域内の薄板厚を有している。他の好ましい実施形態において、薄板は０．４ｍｍ〜０．６ｍｍの領域内の薄板厚を有し、その場合に約０．５ｍｍの薄板厚が特に好ましい。このようにして固定装置は、ばね薄板として使用することができ、そのばね薄板はペルティエ素子と熱伝達ボディを収容装置に固定した後に、ペルティエ素子と熱伝達ボディに収容装置の方向に締めつけ力を及ぼし、したがってペルティエ素子と熱伝達ボディを収容装置に固定する。
【００１７】
本発明に係る温度調節可能なドリンクホルダの他の好ましい実施形態において、薄板が２つの対向するサイドセクションを有しており、それらがウェブセクションによって互いに結合されている。２つの対向するサイドセクションは、好ましくはそれぞれ熱伝達ボディの一方の側に沿って延びており、その場合にウェブセクションは熱伝達ボディの収容装置とは逆の側に沿って延びている。ウェブセクションは好ましくは接触領域を有しており、ペルティエ素子と熱伝達ボディが固定装置によって収容装置に固定された場合に、その接触領域が熱伝達ボディに接触して、圧力に応じて熱伝達ボディに負荷を与える。圧力負荷によって、収容装置に接してペルティエ素子と熱伝達ボディの締めつけ又は挟持がもたらされる。好ましくは固定装置は、対称平面に対して鏡対称に形成されている。したがってペルティエ素子と熱伝達ボディを収容装置に固定する場合に、均一な締めつけ分配を達成することができる。それによってペルティエ素子の領域内の応力ピークが回避され、それによって温度調節可能なドリンクホルダを組み立てる間にペルティエ素子が損傷する危険が著しく低減される。このようにしてさらに、均質な締めつけ分配を達成することができ、特殊工具の使用が必要となることはない。
【００１８】
本発明に係る温度調節可能なドリンクホルダは、２つのサイドセクションが互いに対して実質的に平行に方向づけされることによって、展開される。特に薄板は、実質的にＵ字形状の横断面を有している。２つのサイドセクションを平行に方向づけすることによって、温度調節可能なドリンクホルダの場所をとらない組立て形状を実現することができる。実質的にＵ字形状の横断面は、熱伝達ボディが方形の基本形状を有している場合に、特に適している。この場合において固定装置は、固定装置が熱伝達ボディの３つの側を包囲するように、配置することができる。このようにして収容装置にペルティエ素子と熱伝達ボディを確実かつしっかりと固定することができる。
【００１９】
本発明に係る温度調節可能なドリンクホルダの特に好ましい実施形態において、ウェブセクションは少なくとも部分的に湾曲して形成されている。湾曲したウェブセクションは、湾曲されないセクションに比較してより高い弾性変形性を有し、したがって固定装置の柔軟性を高める。それに伴って必要とされる取り付け力も減少するので、少なくとも部分的に湾曲したウェブセクションは、ペルティエ素子と熱伝達ボディを収容装置に工具なしで固定することを可能にする。
【００２０】
本発明に係る温度調節可能なドリンクホルダの好ましい展開において、少なくとも１つのサイドセクションとウェブセクションとの間に外側を向いた湾曲部が配置されている。外側を向いた湾曲部は、好ましくはサイドセクションの幅全体にわたって、かつ／又はウェブセクションの幅全体にわたって延びている。両方のサイドセクションとウェブセクションとの間にそれぞれ外側を向いた湾曲部が配置されていると、特に効果的である。この種の湾曲部は、複数の利点を提供する。湾曲部は、固定装置の弾性変形性を高め、したがって高められた柔軟性によって温度調節可能なドリンクホルダの工具なしの組立てを支援する。他の重要な利点は、ペルティエ素子と熱伝達ボディが固定装置によって収容装置に固定された場合に、薄板のそれぞれのサイドセクションからウェブセクションへ移行する領域内に配置されている、熱伝達ボディの外側に位置するエッジが、１つ又は複数の湾曲部によって負荷から保護されるので、熱伝達ボディのエッジの損傷が阻止されることである。特に、外側領域にフィン構造又は薄片構造を有する熱伝達ボディにおいては、エッジの負荷又は過負荷に対する保護が特に重要である。というのは、この組立て形状においては熱伝達ボディのエッジは、特に損傷の危険にさらされるからである。
【００２１】
本発明に係る温度調節可能なドリンクホルダの他の好ましい実施形態において、固定装置がバンド、特にスチールバンドを有している。ペルティエ素子と熱伝達ボディを収容装置にバンドを用いて固定することは、特に少ない材料コストと少ない取り付けの手間で実現可能である。バンドは、ペルティエ素子と熱伝達ボディが固定装置によって収容装置に固定された場合に、好ましくは引っ張り負荷を受ける。バンドの引っ張り負荷によって、ペルティエ素子と熱伝達ボディが収容装置にしっかりと効果的に締めつけられる。
【００２２】
好ましくは、固定装置は互いに協働する固定手段を有している。互いに協働する固定手段は、固定装置を固定するように整えられている。好ましくは固定手段は、固定装置の薄板と収容装置との間に相補形状の結合を形成するように、整えられている。その代わりに、あるいはそれに加えて、固定手段は、固定装置の薄板と収容装置との間に力結合及び／又は材料による結合を形成するように、整えられている。
【００２３】
本発明に係る温度調節可能なドリンクホルダは、さらに、熱伝達ボディが少なくとも部分的に断熱材で包囲されることによって、効果的に展開される。断熱材が空間を画成し、その中で熱伝達ボディから熱を放出することができ、あるいは熱伝達ボディから熱を吸収することができる。このようにして、温度調節可能なドリンクホルダの周囲が不用意に温度影響を受けること、かつ／又は温度調節可能なドリンクホルダの温度調節出力が損なわれることを、効果的に回避することができる。さらに、固定手段が断熱材によって包囲されていると、効果的である。比較的小さい固定手段を使用する場合でも、ヒートブリッジによって周囲との著しい熱交換が行われることがあり、それによって意図されない温度影響が生じ、かつ／又は温度調節可能なドリンクホルダの温度調節出力が損なわれる。
【００２４】
本発明に係る温度調節可能なドリンクホルダの他の好ましい実施形態において、互いに協働する固定手段は、固定装置を工具なしで固定するように整えられている。それによってペルティエ素子と熱伝達ボディを収容装置に工具なしで固定することができる。それが、組立てプロセスを簡略化する。その代わりに、あるいはそれに加えて、互いに協働する固定手段は、固定装置を破壊なしで可逆的に取り外し可能に固定するように、整えられている。可逆的に取り外し可能な固定によって、温度調節可能なドリンクホルダは取り外し後も代替部品を必要とせずに再び組み立てることができる。したがって付加的な材料又は部品を使用せずに、修理及び清掃を実施することができる。
【００２５】
さらに好ましくは、本発明に係る温度調節可能なドリンクホルダにおいて、互いに協働する固定手段は１つ又は複数のピンと、ピンに対応する１つ又は複数の透孔とを有している。互いに協働する固定手段は、固定装置が収容装置に固定された場合に、１つ又は複数のピンが１つ又は複数の透孔を通って延びるように、配置されている。好ましくは、固定装置の薄板のサイドセクションにそれぞれ２つの透孔が配置されている。収容装置には、好ましくは４本のピンが配置されており、その場合に互いに対して平行かつ互いに離隔して配置された２つのピンが、収容装置から離れるように第１の方向に延びており、互いに対して平行かつ互いに離隔して配置された２つのピンが、収容装置から離れるように第２の方向に延びている。その場合に好ましくは、第１の方向は第２の方向とは逆に方向づけされている。ピン及び／又は透孔は、好ましくは方形、矩形、円、あるいは長円形の横断面を有している。さらに好ましくはピンはそれぞれの端部に先細りを有し、もしくは連続的に断面が減少している。これが、固定装置の取り付けを容易にし、かつ促進する。好ましくはピンは、収容装置の一体的な構成部品として形成されている。代替的にピンは、別の部品として形成されており、それが一体的又はいくつかに分かれた収容装置の一部に後から接合される。
【００２６】
本発明に係る温度調節可能なドリンクホルダの他の好ましい形態において、熱伝達ボディは多数のフィンを有している。フィンを設けることによって、熱伝達ボディの表面積が増大される。熱交換に提供される表面積は、熱伝達ボディに由来する熱抵抗に著しく影響する。したがって多数のフィンによって、熱伝達ボディが熱を周囲に放出する能力と熱伝達ボディが周囲から熱を吸収する能力が著しく向上する。
【００２７】
本発明に係る温度調節可能なドリンクホルダは、さらに、ペルティエ素子と熱伝達ボディが固定装置によって収容装置に固定された場合に、ペルティエ素子が収容装置と熱伝達ボディとの間に配置されることによって、効果的に展開される。
【００２８】
本発明の基礎となる課題は、さらに、車両用のダッシュボードによって解決され、その場合にダッシュボードは上述した実施形態のいずれかに基づく温度調節可能なドリンクホルダを有している。本発明に係るダッシュボードの利点に関しては、本発明に係る温度調節可能なドリンクホルダの利点を参照することができる。
【００２９】
本発明の基礎となる課題は、付加的に、車両によって解決され、その場合に車両は、上述した実施形態のいずれかに記載の温度調節可能なドリンクホルダ、あるいは上述した実施形態に基づくダッシュボードを有している。本発明に係る車両の利点に関しては、本発明に係る温度調節可能なドリンクホルダの利点を参照することができる。
【００３０】
以下、添付の図面を参照しながら、本発明の好ましい実施形態を詳細に説明する。
【図面の簡単な説明】
【００３１】
【図１】本発明に係る温度調節可能なドリンクホルダの実施例を示す分解斜視図である。
【図２】本発明に係る温度調節可能なドリンクホルダの他の実施例を示す斜視図である。
【図３】本発明に係るダッシュボードを備えた、本発明に係る車両の実施例を示している。
【発明を実施するための形態】
【００３２】
図１によれば、本発明に係る温度調節可能なドリンクホルダ１０は、収容装置１２、ペルティエ素子１６、熱伝達ボディ１８及び固定装置２０を有している。
【００３３】
収容装置１２は、ドリンク容器を収容するように整えられている。収容装置１２はさらに、たとえばカン又はコップとすることができるドリンク容器に温度調節室１４を提供する。温度調節室１４の内部で、ドリンク容器は加熱又は冷却することができる。したがって本発明に係る温度調節可能なドリンクホルダ１０は、冷たい飲み物と熱い飲み物があらかじめ定められたドリンク温度に応じて温度調節されることを可能にする。
【００３４】
収容装置１２はさらに、３つの取り付け突出部３４ａ、３４ｃを有している（取り付け突出部３４ｂは図示されていない）。取り付け突出部３４ａ、３４ｂ、３４ｃは透孔を有しており、それらは自動車のダッシュボードの中央コンソールに収容装置１２を固定するために用いられる。収容装置１２は一体的に形成されており、その場合に温度調節室１４を形成する収容ボディに中間部材３６が配置されている。中間部材３６及び温度調節室１４を形成する収容ボディは、収容装置１２の一体化された構成部品であって、すべてアルミニウムから形成されている。
【００３５】
中間部材３６には、ピンとして形成された全部で４つの固定手段２８ａ、２８ｂ、２８ｃ、２８ｄが配置されている。ピン２８ａと２８ｂは互いに対して平行かつ互いに離隔して配置されており、収容装置１２から離れるように第１の方向へ延びている。ピン２８ｃと２８ｄ（隠れている）は、同様に互いに対して平行かつ互いに離隔して配置されており、収容装置１２から離れるように第２の方向へ延びている。その場合に第１の方向は、第２の方向とは逆に向けられている。ピン２８ａ、２８ｂ、２８ｃ及び２８ｄは、長円形の横断面を有しており、それぞれの端部が先細になっており、それが固定装置２０の取り付けを容易にし、かつ促進する。ピンとして形成されている固定手段２８ａ、２８ｂ、２８ｃ、２８ｄは、収容装置１２の一体的な構成部品として形成されている。中間部材３８は接触面３８を有しており、ペルティエ素子１６と熱伝達ボディ１８が固定装置２０によって収容装置１２に固定された場合に、その接触面がペルティエ素子１６の接触面４０ａと接触する。
【００３６】
ペルティエ素子１６と熱伝達ボディ１８が固定装置２０によって収容装置１２に固定されている場合に、ペルティエ素子１６は温度調節室１４と熱伝達するように結合され、かつ収容装置１２と熱伝達ボディ１８との間に配置されている。ペルティエ素子１６は、接触面４０ａに対向する接触面４０ｂを有している。それぞれ調節された電流方向に応じて、接触面４０ａが加熱され、接触面４０ｂが冷却され、あるいは接触面４０ａが冷却されて、接触面４０ｂが加熱される。
【００３７】
熱伝達ボディ１８は、接触面４２を介してペルティエ素子１６の接触面４０ｂと熱伝達するように結合されている。熱伝達ボディ１８は多数のフィン３２を有している。
【００３８】
フィン３２によって熱伝達ボディ１８の表面積が増大される。熱交換に提供される表面積は、熱伝達ボディ１８に由来する熱抵抗に著しい影響を与えるので、多数のフィン３２によって熱伝達ボディ１８が周囲へ熱を放出する能力と熱伝達ボディ１８が周囲から熱を吸収する能力が著しく向上する。
【００３９】
固定装置２０は、薄板を有しており、かつ、ペルティエ素子１６と熱伝達ボディ１８を取り外し可能かつ付勢して収容装置１２に固定するように、整えられている。薄板は、互いに対向し、かつ平行に配置された２つのサイドセクション２２ａ、２２ｂを有しており、それらはウェブセクション２４によって互いに結合されている。２つの対向するサイドセクション２２ａ、２２ｂは、それぞれ熱伝達ボディ１８の片側に沿って延びている。したがって固定装置２０は、ペルティエ素子１６と熱伝達ボディ１８が固定装置２０によって収容装置１２に固定された場合に、部分的に熱伝達ボディ１８の側方に配置される。
【００４０】
ウェブセクション２４は、熱伝達ボディ１８の収容装置１２とは逆の側に沿って延びており、かつ２つのサイドセクション２２ａ、２２ｂの間では完全に湾曲して形成されている。湾曲したウェブセクション２４によって、固定装置２０は部分的に弾性変形可能に形成されており、かつペルティエ素子１６と熱伝達ボディ１８を収容装置１２に固定する場合に弾性的に変形するように、整えられている。ウェブセクション２４は接触領域を有しており、ペルティエ素子１６と熱伝達ボディ１８が固定装置２０によって収容装置１２に固定された場合に、その接触領域が熱伝達ボディ１８に接触して、圧力に応じて熱伝達ボディ１８に負荷をかける。
【００４１】
固定装置２０は、透孔として形成された全部で４つの固定手段３０ａ、３０ｂ、３０ｃ、３０ｄを有している。透孔３０ａ、３０ｂ、３０ｃ、３０ｄは実質的に矩形の横断面を有している。
【００４２】
ピンとして形成されている固定手段２８ａ、２８ｂ、２８ｃ、２８ｄと透孔として形成されている固定手段３０ａ、３０ｂ、３０ｃ、３０ｄは、固定装置２０を固定するために互いに協働する。互いに協働する固定手段２８ａ、２８ｂ、２８ｃ、２８ｄ、３０ａ、３０ｂ、３０ｃ、３０ｄは、固定手段２０が固定される場合にピンが透孔を貫通するように配置されている。さらに、互いに協働する固定手段２８ａ、２８ｂ、２８ｃ、２８ｄ、３０ａ、３０ｂ、３０ｃ、３０ｄは、固定手段２０を工具なしで、かつ破壊されないように可逆的に取り外し可能に固定できるように、整えられている。
【００４３】
図２に示す温度調節可能なドリンクホルダ１０は、固定手段２０の形態によって、図１に示す温度調節可能なドリンクホルダ１０から区別される。固定手段２０の薄板のウェブセクション２４は、２つのサイドセクション２２ａ、２２ｂの間で完全に湾曲して形成されておらず、湾曲しないフラットな中央部分を有している。
【００４４】
サイドセクション２２ａ、２２ｂとウェブセクション２４との間に、それぞれ外側を向いた湾曲部２６ａ、２６ｂが配置されている。外側を向いた湾曲部２６ａ、２６ｂは、サイドセクション２２ａ、２２ｂの幅Ｂ２全体にわたり、かつウェブセクション２４の幅Ｂ１全体にわたって延びている。湾曲部２６ａ、２６ｂは固定装置２０の弾性変形可能性を高め、したがって柔軟性の増大によって温度調節可能なドリンクホルダ１０の工具なしの組立てを支援する。さらに、薄板のそれぞれのサイドセクション２２ａ、２２ｂからウェブセクション２４への移行部に配置されている、熱伝達ボディ１８の外側に位置するフィン３２のエッジは、湾曲部２６ａ、２６ｂによって負荷から保護されるので、エッジの損傷が阻止される。
【００４５】
図３によれば、車両１００が温度調節可能なドリンクホルダ１０を有している。温度調節可能なドリンクホルダ１０は、ダッシュボード５０の中央コンソール５２内に組み込まれている。温度調節可能なドリンクホルダ１０の収容装置内に、ドリンク容器５４が配置されている。温度調節可能なドリンク容器１０は、請求項１から１５のいずれか１項に基づいて形成されている。
【符号の説明】
【００４６】
１０  温度調節可能なドリンクホルダ
１２  収容装置
１４  温度調節室
１６  ペルティエ素子
１８  熱伝達ボディ
２０  固定装置
２２ａ、２２ｂ  サイドセクション
２４  ウェブセクション
２６ａ、２６ｂ  湾曲部
２８ａ、２８ｂ、２８ｃ、２８ｄ  固定手段
３０ａ、３０ｂ、３０ｃ、３０ｄ  固定手段
３２  フィン
３４ａ、３４ｂ、３４ｃ  取り付け突出部
３６  中間部材
３８  接触面
４０ａ、４０ｂ  接触面
４２  接触面
５０  ダッシュボード
５２  中央コンソール
５４  ドリンク容器
１００  車両
Ｂ１  幅
Ｂ２  幅
【図１】
2019513628.tif 000003
【図２】
2019513628.tif 000004
【図３】
2019513628.tif 000005
【国際調査報告】
2019513628.tif 000006
2019513628.tif 000007
2019513628.tif 000008
2019513628.tif 000009